(57)【要約】【課題】意匠性に優れた、或いは、ある程度離れた場所からも浴槽内を監視しやすく、浴槽内の溺水事故を早期発見できる浴槽を提供する。【解決手段】側壁１２ａ及び底壁１２ｂを含む全ての部位が外部から内側を透視可能な透明槽体１２で形成されたことを特徴とする浴槽１６から構成される。また、透明槽体１２の底壁１２ｂ側から上方側に向けて光を照射させる発光部１６が設けられることにより、光で照らして独特な意匠感を現すことができる。【選択図】図１
0003122923.tif 000002
【実用新案登録請求の範囲】
【請求項１】
側壁及び底壁を含む全ての部位が外部から内側を透視可能な透明槽体で形成されたことを特徴とする浴槽。
【請求項２】
透明槽体の底壁側から上方側に向けて光を照射させる発光部が設けられたことを特徴とする請求項１記載の浴槽。
【請求項３】
発光部は、複数の発光パターンを変更可能に設けられた請求項２記載の浴槽。
【請求項４】
発光部の発光パターンを切り替え操作する操作部を透明槽体の開口縁部近傍に取り付けたことを特徴とする請求項３記載の浴槽。
【請求項５】
操作部は透明槽体の縁部又は側壁に着脱可能に装着されることを特徴とする請求項４記載の浴槽。
【請求項６】
透明槽体を支持しつつ、該透明槽体の底部に発光部の収容空隙を形成する透明の脚部が設けられた請求項２ないし５のいずれかに記載の浴槽。
【考案の詳細な説明】
【技術分野】
【０００１】
本考案は、浴槽に関する。
【背景技術】
【０００２】
近年、生活空間、居住空間のいたるところに意匠感の優れた生活用品、家具、その他住宅設備が取り入れられることが多く、浴槽にも様々な意匠を施すことも多い。従来より、浴槽の意匠性を向上させる技術が種々提案されており、例えば、透明ゲルコート樹脂層１０と着色ゲルコート樹脂層１１とを浴槽１の内周面に積層して大理石模様を付ける方法が知られている（例えば、特許文献１）。
【特許文献１】特開２００２−１９２５３６号公報
【考案の開示】
【考案が解決しようとする課題】
【０００３】
しかしながら、大理石模様等の模様が施された浴槽は、意匠感の程度の差こそあるが、現在ではありふれており、多様化した趣味、嗜好のニーズに応えることができない場合も多かった。そこで、新たな意匠感、高級感のある浴槽の出現が待望されている。
【０００４】
一方、浴槽では小さな子供や高齢者等の溺水事故の発生も多い。しかしながら、従来の浴槽は、上面側の開口側からしか浴槽内を見ることができず、浴槽から少し離れた場所からは、浴槽内の様子が把握しにくかった。そのため、事故の発見が遅れてしまい重症或いは死に至るおそれが高かった。
【０００５】
本考案は、上記従来の課題に鑑みてなされたものであり、その一つの目的は、意匠性の優れた浴槽を提供することにある。また、他の目的は、ある程度離れた場所からも浴槽内を監視しやすく、浴槽内の溺水事故を早期発見できる浴槽を提供することにある。
【課題を解決するための手段】
【０００６】
上記課題を解決するために本考案は、側壁１２ａ及び底壁１２ｂを含む全ての部位が外部から内側を透視可能な透明槽体１２で形成されたことを特徴とする浴槽から構成される。
【０００７】
また、透明槽体１２の底壁１２ｂ側から上方側に向けて光を照射させる発光部１６が設けられたこととしてもよい。発光部１６は、内部にバッテリ等の電源を保持しても良く、外部電源に接続されていてもよい。
【０００８】
また、発光部１６は、複数の発光パターンを変更可能に設けられたこととしてもよい。
【０００９】
また、発光部１６の発光パターンを切り替え操作する操作部２２を透明槽体１６の開口縁部１２ｃ近傍に取り付けたこととしてもよい。
【００１０】
また、操作部２２は透明槽体１２の縁部１２ｃ又は側壁１２ａに着脱可能に装着されることとしてもよい。
【００１１】
また、透明槽体２２を支持しつつ、該透明槽体２２の底部に発光部１６の収容空隙Ｇを形成する透明の脚部１４が設けられたこととしてもよい。
【考案の効果】
【００１２】
本考案の浴槽によれば、側壁及び底壁を含む全ての部位が外部から内側を透視可能な透明槽体で形成されたことから、全体が透明な透明槽体であるから、今までにない優れた意匠感、高級感あるいは開放感のある浴槽を実現できる。よって、多様化した趣味・嗜好にも十分に対応した浴槽を需要者に供給できる。また、外部から浴槽内部を透視できるので、ある程度離れた場所からも入浴者の状況を確認できる。したがって、例えば、小さな子供をもつ親や高齢者の介護者等は、子供や高齢者等を入浴させつつ、その状況を監視しながら洗濯やその他の仕事を平行して行うことができる。そして、万一、溺水事故が発生した際にも早期に発見できるので、子育てや介護の現場でも有効に適用することができる。
【００１３】
また、透明槽体の底壁側から上方側に向けて光を照射させる発光部が設けられた構成とすることにより、例えば、透明槽体の各側壁やそのエッジの部分、透明槽体に溜めた湯、或いは入浴者等をライトアップ状に光で照らして独特な意匠感を現すことができる。さらに、光の照射効果による癒しや和み等のリラクゼーション効果も期待できる。
【００１４】
また、発光部は、複数の発光パターンを変更可能に設けられたことから、光の照射による意匠感や、リラクゼーション効果をより一層向上させる上、高い興趣性も得ることができる。
【００１５】
また、発光部の発光パターンを切り替え操作する操作部を透明槽体の開口縁部近傍に取り付けた構成とすることにより、入浴者が入浴した状態で操作部を操作して、自分の好みに応じた発光パターンに簡便に切り替えることができ、利便性が良い。
【００１６】
また、操作部は透明槽体の縁部又は側壁に着脱可能に装着される構成とすることにより、不必要に操作部を取り外して、入浴や介護等の邪魔にならないようにすることができる。また、装着操作も簡単に行なえる。また、透明槽体を成型した後に、後付け的に透明槽体に操作盤を簡単に取り付けできる。
【００１７】
また、透明槽体を支持しつつ、該透明槽体の底部に発光部の収容空隙を形成する透明の脚部が設けられた構成とすることにより、発光部を簡便かつ短時間で透明槽体の底部に設置することができる。特に、例えば、透明槽体を成型した後に後付け的に発光部を配置させることができ、簡単な構造で発光部を実現できる。また、脚部も含めて浴槽全体が透明であるので、透明による高い意匠感を維持できる。
【考案を実施するための最良の形態】
【００１８】
以下添付図面を参照しつつ、本考案の浴槽の実施形態について説明する。本考案の浴槽は、例えば、一般家庭、会社、ホテル、旅館等の宿泊施設、病院、介護施設、学校、役所、体育館、競技場等の公共施設等に適用される。側壁及び底壁を含む全ての部位が外部から内側を透視可能な透明槽体で形成されている。
【００１９】
図１ないし図３は、本考案の浴槽の実施形態を示している。本実施形態に係る浴槽１０は、その主要部全体が透明である透明槽体１２で形成されている。すなわち、透明槽体１２は、側壁１２ａ及び底壁１２ｂを含む全ての部位が透明で外部から内側を透視可能となっている。図１ないし図３に示すように、透明槽体１２は、例えば、透明度が高く、耐水性、耐薬品性、強度、耐久性等を有するアクリル樹脂等の透明樹脂からなり、上面を開口しつ入浴用の湯を入れる内部空間Ｓを有する船形状一体的に形成されている。なお、透明槽体１２の側壁１２ａの上部開口側には外側に張り出した縁部１２ｃが形成されている。本実施形態では、上記のような全体が透明な透明槽体であるから、今までにない優れた意匠感を得ることができる。また、側壁１２ａを透過して外部から浴槽内部空間Ｓを確認できるので、例えば、ある程度離れた場所からも入浴者の状況を明確に把握できる。したがって、例えば、小さな子供をもつ親や高齢者の介護者等は、子供や高齢者等を入浴させつつ、その状況を監視しながら、洗濯やその他の仕事を同時にすることができる。例えば、溺水事故が発生した際に早期に発見、救助できるので、子育てや介護の現場でも有効に適用できる。なお、透明槽体１２の形状は、船形状のものに限らず、略直方体状や平面視で円形や略三角形、扇形その他異形形状等その他任意の形状でよい。また、透明槽体の成形方法も任意でよく、例えば、板状の樹脂材を真空成形加工やその他熱成形加工したり、或いは金型内へ原料樹脂を射出注入する射出成形等により成形される。
【００２０】
透明槽体１２には、底部外面側に該透明槽体を支持する脚部１４が設けられている。脚部１４は、透明槽体１２と同様に、アクリル樹脂等の透明素材からなる。脚部１４は、例えば、角材状に設けられて、透明槽体１２の長手方向に平行に１対対向配置されており、底壁１２ｂの下方側に空隙Ｇを形成させるように支持している。この脚部１４により形成される透明槽体１２の底部側の空隙Ｇは、後述の発光装置１６の収容空隙となり、発光装置１６を簡便に収容できるようになっている。また、脚部１４は、底壁１２ｂを床面から離隔させているので、該底壁への傷つきや汚れの付着を防止する。
【００２１】
図２、図３に示すように、本実施形態では、透明槽体１２の底部には、発光装置１６が配置される。発光装置１６は、透明槽体１２の底壁側から上方側に向けて光を照射させる発光部であり、透明な底壁１２ｂを透過して浴槽内部Ｓ側に光を照射する。これにより、例えば、透明槽体１２の各側壁やそのエッジの部分、透明槽体１２に溜めた湯、或いは入浴者Ｈ等をライトアップ状に照らして独特な意匠感を現すことができる。本実施形態では、発光装置１６は、例えば、光源として複数個の発光ダイオード１８を基盤２０の上面側に規則的に（又は不規則に）並べて固定させつつ、防水処理された発光ユニット体からなり、収容空隙Ｇ内に収容されて、底壁の略中央位置に対応して配置される。発光装置１６は、後述の操作盤２２と図示しない電源とに電気的に接続されており、操作盤２２により操作される。
【００２２】
本実施形態では、発光装置１６は、発光ダイオード１８による発光パターンが複数用意されており、それらの複数の発光パターンを変更可能に設けられている。発光パターンとしては、例えば、常時単色で点灯したり、数秒程度の一定の時間間隔で明滅したり、明るさの強弱を変更したり、発光色を変化させたり、或いはそれらのパターンを複数の発光ダイオードごとに時間差をつけて変化させたり等、その他任意予め設定されたプログラムにより明滅や色等を変化させる発光パターンからなる。発光装置の発光パターンプログラムは、例えば、操作盤２２の電子回路等に記憶されている。これにより、浴槽１０の意匠感をさらに向上させるとともに、入浴中の興趣性や、癒し、和み等のリラクゼーション効果が高い。
【００２３】
操作盤２２は、発光装置１６の発光・消光操作及び発光パターンの切り替え操作を行なう操作部である。図１、図２、図３に示すように、操作盤２２は透明槽体１２の長手方向側の直線状の縁部１２ｃに着脱可能に取り付けられている。本実施形態では、操作盤２２は、例えば、電子回路を収容するケースの上面側に、液晶表示パネル等の表示部２４と、オン・オフボタン２５と、発光パターンに対応して切り替え操作する操作ボタン２６と、を配置させて設けられている。この操作盤２２は透明槽体１２の開口縁部に取り付けられているので、入浴者Ｈは入浴した状態で操作盤に手が届き、自分の好みに応じた発光パターンに簡便に切り替え操作できる。
【００２４】
なお、図４、図５は、操作盤２２と透明槽体１２の縁部１２ｃとの装着構成を示している。例えば、図４では、操作盤２２と透明槽体１２とは雌雄嵌合構造２８により雌雄嵌合状に着脱可能に装着できる構成となっている。透明槽体１２の縁部１２ｃに外側から内側に向けて切欠３０が設けられるとともに、操作盤２２のケース側に該縁部の切欠３０に挿入嵌合する突起３２が設けられている。また、図５には、他の装着構成を示しており、図５に示すように、操作盤２２のケースには透明槽体１２の縁部１２ｃを挟持状にクランプする挟持装置３６が設けられている。挟持装置３６は、コ字状の基体３８と、該基体３８の下片部を貫通しつつ上下に螺進退する螺軸３９と、螺軸先端に固定されて螺軸を介して可動する可動片４０と、を含む。そして固定基体３８と可動片とを協働させて縁部に着脱可能に固定する。このように着脱できる構成により、簡便に操作盤２２を着脱できるので、不必要の際に操作盤を透明槽体１２から取り外し、入浴の邪魔にならないようにできる。また、透明槽体１２を成型した後に、後付的に簡単に取り付けできる。なお、操作盤２２と透明槽体１２との着脱構成は、図４、図５に示したもの限らず、例えば、フック係合や、ボルトナット締着、その他操作盤２２を透明槽体の縁部又は側壁に着脱可能に装着させる構成であれば任意でよい。
【００２５】
以上説明した本考案の浴槽は、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案の浴槽は、例えば、一般家庭、会社、ホテル、旅館等の宿泊施設、病院、介護施設、学校、役所、体育館、競技場等の公共施設等に適用される。
【図面の簡単な説明】
【００２７】
【図１】本考案の実施形態に係る浴槽の正面説明図である。
【図２】図１の浴槽の平面図である。
【図３】図１の浴槽の側面図である。
【図４】操作盤と透明槽体との着脱構成を説明する要部拡大斜視図である。
【図５】操作盤と透明槽体との他の着脱構成を説明する要部の側面図である。
【符号の説明】
【００２８】
１０    浴槽
１２    透明槽体
１４    脚部
１６    発光装置
２２    制御盤
【図１】
0003122923.tif 000003
【図２】
0003122923.tif 000004
【図３】
0003122923.tif 000005
【図４】
0003122923.tif 000006
【図５】
0003122923.tif 000007